(57)【特許請求の範囲】
【請求項１】
導光部と、前記導光部に画像光を入射させる光入射部と、前記導光部によって導かれた画像光を外部に射出させる光射出部とを有し、前記光射出部を介して前記画像光の観察を可能にする導光部材と、
前記導光部材と組み合わせることによって外界光の観察を可能にする透視部を構成する光透過部材とを備え、
前記導光部は、互いに平行に配置され前記導光部に導かれた光を全反射し、導光させる第１反射面と第２反射面とを有し、
光透過性を有するとともに前記画像光の入射角範囲よりも入射角が大きくなると反射率が増加する角度依存性を有し、前記光射出部と前記光透過部材との間に配置された反射膜を備えた、虚像表示装置。
【請求項２】
前記反射膜は、所定の下限角度を境として、階段状に反射率が変化する特性を有し、前記下限角度よりも大きな入射角の光をほとんど反射し、前記下限角度よりも小さな入射角の光を一様な透過率で透過させる、請求項１に記載の虚像表示装置。
【請求項３】
前記反射膜は、複数種類の膜を積層することによって形成されている、請求項１及び２のいずれか一項に記載の虚像表示装置。
【請求項４】
前記反射膜は、金属反射膜と誘電体多層膜とを積層した構造を有する、請求項３に記載の虚像表示装置。
【請求項５】
前記反射膜は、前記金属反射膜として透過率が調整されたＡｇ膜を含む半透過反射膜から成る、請求項４に記載の虚像表示装置。
【請求項６】
前記反射膜の反射率は、画像光に対して１０以上５０％以下である、請求項１から５までのいずれか一項に記載の虚像表示装置。
【請求項７】
前記光入射部は、前記第１反射面に対して所定の角度をなす第３反射面を有し、
前記光射出部は、前記第１反射面に対して所定の角度をなす第４反射面を有し、
前記光透過部材は、前記反射膜を介して前記光射出部の前記第４反射面に接着される光透過面を有する楔状の部材を有し、
前記反射膜は、前記第４反射面と前記光透過面との間に配置されている、請求項１から６までのいずれか一項に記載の虚像表示装置。
【請求項８】
前記光透過部材は、前記第１反射面と第２反射面とに対してそれぞれ平行に配置される第１面と第２面とを有する、請求項７に記載の虚像表示装置。
【請求項９】
前記導光部は、前記第１反射面と前記第４反射面との間と、前記第１反射面と前記第３反射面との間との少なくとも一方にゴースト光を阻止する端面を有する、請求項８に記載の虚像表示装置。
【請求項１０】
画像光を形成する画像表示装置と、前記画像表示装置から射出された前記画像光を入射させる投射光学系とを備え、
前記画像表示装置における第１部分領域から射出される第１画像光の前記導光部における反射回数と、導光に際して反射によって光路の折り返しが生じる閉じ込め方向に関して前記第１部分領域とは異なる第２部分領域から射出される第２画像光の前記導光部における反射回数とは、互いに異なる、請求項７から９までのいずれか一項に記載の虚像表示装置。
【請求項１１】
前記閉じ込め方向は、前記投射光学系を通る第１光軸と前記第３反射面の法線とを含む断面に平行な方向である請求項１０に記載の虚像表示装置。
【請求項１２】
前記導光部材と前記光透過部材とは、射出成型によってそれぞれ独立して一体的に成型される、請求項１から１１までのいずれか一項に記載の虚像表示装置。
【請求項１３】
前記導光部材と前記光透過部材とは、熱重合型の樹脂材料によってそれぞれ成型される、請求項１２に記載の虚像表示装置。
【請求項１４】
導光部と、前記導光部に画像光を入射させる光入射部と、前記導光部によって導かれた画像光を外部に射出させる光射出部とを有し、前記光射出部を介して前記画像光の観察を可能にする導光部材と、
前記導光部材と組み合わせることによって外界光の観察を可能にする透視部を構成する光透過部材とを備え、
前記導光部は、互いに平行に配置され前記導光部に導かれた光を全反射し、導光させる第１反射面と第２反射面とを有し、
前記導光部材の前記光射出部から前記光透過部材に入射した光が前記導光部材側へ再入射することを防止する半透過反射面を有する、虚像表示装置。
【発明の詳細な説明】
【技術分野】
【０００１】
本発明は、頭部に装着して使用するヘッドマウントディスプレイ等の虚像表示装置に関する。
【背景技術】
【０００２】
近年、ヘッドマウントディスプレイのように虚像の形成及び観察を可能にする虚像表示装置として、導光板によって表示素子からの画像光を観察者の瞳に導くタイプのものが種々提案されている。
【０００３】
このような虚像表示装置において、画像光と外界光とを重畳させるために、シースルー光学系の提案がなされている（特許文献１、２参照）。
【０００４】
しかし、特許文献１等に記載の装置では、瞳サイズよりも射出開口が小さい導光光学系を用いる瞳分割方式によってシースルーを実現しているため、虚像の表示サイズを大きくすることが困難である。また、瞳サイズよりも小さい導光光学系を用いるため、人間の個々の眼幅に対応するために有効瞳径（虚像の取り込みを可能にする採光径であり、アイリング径とも呼ぶ）を大きくすることが困難である。また、物理的に瞳付近に導光光学系の射出開口や筐体が配置されるため、死角が生じてしまい完全なシースルーとはいえなくなる。
【０００５】
なお、頭部装着ディスプレイ用の光学システムとして、導光角度の異なる複数の光モードを進行させることができる導光パイプを備えるものが存在する（特許文献３参照）。このような光学システムをおいて、射出側の第３光学面をハーフミラーとし第３光学面の透過光が直進するような工夫をすることで、シースルー型の表示装置にすることも考えられる。
【０００６】
しかし、特許文献３の光学システムでは、複数の光モードによる像が互いに位置ずれしていることを前提として、光モードごとに異なる入射角度に設定されたコリメート光で液晶パネルを照明する。そして、各光モードで表示内容を変更するとともに各光モードの表示をシーケンシャルに実行することで、各光モードの画像をつなぎ合わせて全体画像を得るようにしている。この場合、１つの液晶パネルによって、全体画像を構成する中央の画像と左右の画像とを時間差で変更しつつ表示しなければならず、虚像表示装置が複雑化し観察画像も暗くなる。
【０００７】
以上とは別に、眼前を覆うような光射出部を有する導光部材によって外界光に重ねて虚像の観察を可能にする虚像表示装置であって、時間差で画像をつなぎ合わせる必要のないものも考えられるが、大きな画像を表示することは容易でなく、導光部材に透視用のプリズム等の部材を接続した場合、かかる部材によってゴースト光が発生し、ゴースト光が眼に到達しやすくなる。
【先行技術文献】
【特許文献】
【０００８】
【特許文献１】特開２００６−３８７９号公報
【特許文献２】特開２０１０−２２４４７３号公報
【特許文献３】特開２００８−５３５００１号公報
【発明の概要】
【発明が解決しようとする課題】
【０００９】
本発明は、上記背景技術の問題に鑑みてなされたものであり、シースルー観察を可能にすることができ、ゴースト光が観察されることを抑制して高品位の虚像を表示できる虚像表示装置を提供することを目的とする。
【課題を解決するための手段】
【００１０】
上記課題を解決するため、本発明に係る第１の虚像表示装置は、（ａ）導光部と、導光部に画像光を入射させる光入射部と、導光部によって導かれた画像光を外部に射出させる光射出部とを有し、光射出部を介して画像光の観察を可能にする導光部材と、（ｂ）導光部材と組み合わせることによって外界光の観察を可能にする透視部を構成する光透過部材とを備え、導光部は、互いに平行に配置され導光部に導かれた光を全反射し、導光させる第１反射面と第２反射面とを有し、（ｃ）光透過性を有するとともに画像光の入射角範囲よりも入射角が大きくなると反射率が増加する角度依存性を有し、光射出部と光透過部材との間に配置された反射膜を備えている。
【００１１】
上記虚像表示装置では、光射出部と光透過部材との間に設けた反射膜が画像光の入射角範囲よりも入射角が大きくなると反射率が増加する角度依存性を有するので、導光部材から光透過部材に射出され当該光透過部材内で反射される意図しない光が比較的大きな入射角度で反射膜を通過して導光部材の光射出部に戻されることを防止できる。これにより、光透過部材を経た画像光がゴースト光になることを防止でき、虚像表示装置によって表示される虚像を高品位のものとすることができる。
【００１２】
本発明の具体的な側面では、上記虚像表示装置において、反射膜が、所定の下限角度を境として、階段状に反射率が変化する特性を有し、下限角度よりも大きな入射角の光をほとんど反射し、下限角度よりも小さな入射角の光を一様な透過率で透過させる。この場合、下限角度よりも小さな入射角の外光を確実に透視でき、下限角度よりも大きな角度で反射膜に背後から入射する不要光を確実に排除することができる。
【００１３】
本発明の別の側面では、反射膜が、複数種類の膜を積層することによって形成されている。これにより、反射膜の反射率について単層では実現しにくい所望の角度依存性をもたせやすくなる。
【００１４】
本発明のさらに別の側面では、反射膜が、金属反射膜と誘電体多層膜とを積層した構造を有する。この場合、金属反射膜によって、反射すべき画像光の乱れや無駄な減衰を防止しつつ、入射角が比較的大きなゴースト光の適切な遮断が可能になる。
【００１５】
本発明のさらに別の側面では、反射膜が、金属反射膜として透過率が調整されたＡｇ膜を含む半透過反射膜から成る。Ａｇ膜は、吸収が少なく効率の良いハーフミラーとなる。また、Ａｇ膜は、膜厚の増減に対する透過率の感度がＡｌ膜等の場合に比較して低く、反射率や透過率の調整が容易である。
【００１６】
本発明のさらに別の側面では、反射膜の透過率が、画像光に対して１０％以上５０％以下である。この場合、シースルーによる外界光すなわち外界像の観察が容易になる。
【００１７】
本発明のさらに別の側面では、光入射部は、第１反射面に対して所定の角度をなす第３反射面を有し、光射出部は、第１反射面に対して所定の角度をなす第４反射面を有し、光透過部材は、反射膜を介して光射出部の第４反射面に接着される光透過面を有する楔状の部材を有し、反射膜が、第４反射面と光透過面との間に配置されている。この虚像表示装置では、光入射部の第３反射面で反射された画像光が導光部の第１及び第２反射面で全反射されつつ伝搬され、光射出部の第４反射面で反射されて虚像として観察者の眼に入射する。この場合、導光部材を多面体ブロック状の外形を有するものとして形成可能になるので、導光部材を虚像表示装置に組み込みやすくなり、虚像の高精度の観察が可
能になる。また、第４反射面のハーフミラー越しのシースルー観察を光透過部によって歪みの少ないものとできる。
【００１８】
本発明のさらに別の側面では、導光部が、第１反射面と第４反射面との間と、第１反射面と第３反射面との間との少なくとも一方にゴースト光を阻止する端面を有する。これにより、さらにゴースト光を抑制できる。
【００１９】
本発明のさらに別の側面では、光透過部材が、第１反射面と第２反射面とに対してそれぞれ平行に配置される第１面と第２面とを有する。これにより、光透過部材によるシースルー観察が歪みなく平坦性の高いものとなる。
【００２０】
本発明のさらに別の側面では、画像光を形成する画像表示装置と、画像表示装置から射出された画像光を入射させる投射光学系とを備え、画像表示装置における第１部分領域から射出される第１画像光の導光部における反射回数と、導光に際して反射によって光路の折り返しが生じる閉じ込め方向に関して第１部分領域とは異なる第２部分領域から射出される第２画像光の導光部における反射回数とが、互いに異なる。この場合、反射回数の異なる画像光を利用することで、光射出部から射出される画像光の射出角度の角度幅を広くとることができる。つまり、画像表示装置における異なる表示位置からの画像光を比較的広い視野角で取り込むことができるようになり、光射出部越しに観察される虚像の表示サイズを大きく確保することができる。このように反射回数が異なる画像光を取り出す構造とすることにより、導光部をあまり厚くすることなく瞳を覆うように光射出部を大きくすることができるので、良好なシースルー観察が可能になる。
【００２１】
本発明のさらに別の側面では、閉じ込め方向が、第１画像光と第２画像光とが投射光学系を通る第１光軸と第３反射面の法線とを含む断面に平行な方向である。上記断面方向に関して異なる位置からの画像光は、射出角度すなわち光入射部への入射角度を互いに異なるものとすることで、導光部における反射回数を異なるものとできる。
【００２２】
本発明のさらに別の側面では、導光部材と光透過部材とが、射出成型によってそれぞれ独立して一体的に成型される。この場合、射出成型技術を利用して導光部材と光透過部材とを高精度で量産することができる。
【００２３】
本発明のさらに別の側面では、導光部材と光透過部材とが、熱重合型の樹脂材料によってそれぞれ成型される。この場合、樹脂によって軽量化や安全性を高めることができ、熱硬化によって安定した高精度の成型が可能になる。
【００２４】
本発明に係る第２の虚像表示装置は、導光部と、導光部に画像光を入射させる光入射部と、導光部によって導かれた画像光を外部に射出させる光射出部とを有し、光射出部を介して画像光の観察を可能にする導光部材と、導光部材と組み合わせることによって外界光の観察を可能にする透視部を構成する光透過部材とを備え、導光部は、互いに平行に配置され導光部に導かれた光を全反射し、導光させる第１反射面と第２反射面とを有し、導光部材の光射出部から光透過部材に入射した光が導光部材側へ再入射することを防止する半透過反射面を有する。
【００２５】
上記虚像表示装置では、半透過反射面が導光部材の光射出部から光透過部材に入射した光が導光部材側へ再入射することを防止するので、光透過部材を経た画像光がゴースト光になることを防止でき、虚像表示装置によって表示される虚像を高品位のものとすることができる。
【図面の簡単な説明】
【００２６】
【図１】実施形態の虚像表示装置を示す斜視図である。
【図２】（Ａ）は、虚像表示装置を構成する第１表示装置の本体部分の平面図であり、（Ｂ）は、本体部分の正面図である。
【図３】（Ａ）は、導光部材の光入射部における第３反射面の構造を説明する図であり、（Ｂ）は、導光部材の導光部における第１反射面の構造を説明する図であり、（Ｃ）は、導光部材の導光部における第２反射面の構造を説明する図であり、（Ｄ）は、導光部材の光射出部における第４反射面の構造を説明する図である。
【図４】ハーフミラー層の反射率特性を示すグラフである。
【図５】異なる入射角での反射率の波長依存性を示すグラフである。
【図６】（Ａ）は、縦の第１方向に関する光路を展開した概念図であり、（Ｂ）は、横の第２方向に関する光路を展開した概念図である。
【図７】虚像表示装置の光学系における光路を具体的に説明する平面図である。
【図８】（Ａ）は、液晶表示デバイスの表示面を示し、（Ｂ）は、観察者に見える液晶表示デバイスの虚像を概念的に説明する図であり、（Ｃ）及び（Ｄ）は、虚像を構成する２つの部分画像を説明する図である。
【図９】導光装置におけるゴースト光の処理を説明する拡大図である。
【図１０】（Ａ）は、変形例における画像光の導光状態を説明する図であり、（Ｂ）は、変形例における液晶表示デバイスの虚像を概念的に説明する図である。
【図１１】導光部材に稜を除去するような端面を設けている理由を説明する図である。
【図１２】図２（Ａ）等に示す導光部材の変形例を説明する図である。
【発明を実施するための形態】
【００２７】
以下、図面を参照しつつ、本発明の一実施形態に係る虚像表示装置について詳細に説明する。
【００２８】
〔Ａ．虚像表示装置の外観〕
図１に示す実施形態の虚像表示装置１００は、眼鏡のような外観を有するヘッドマウントディスプレイであり、この虚像表示装置１００を装着した観察者に対して虚像による画像光を認識させることができるとともに、観察者に外界像をシースルーで観察させることができる。虚像表示装置１００は、観察者の眼前を覆う光学パネル１１０と、光学パネル１１０を支持するフレーム１２１と、フレーム１２１のヨロイからテンプルにかけての部分に付加された第１及び第２駆動部１３１，１３２とを備える。ここで、光学パネル１１０は、第１パネル部分１１１と第２パネル部分１１２とを有し、両パネル部分１１１，１１２は、中央で一体的に連結された板状の部品となっている。図面上で左側の第１パネル部分１１１と第１駆動部１３１とを組み合わせた第１表示装置１００Ａは、左眼用の虚像を形成する部分であり、単独でも虚像表示装置として機能する。また、図面上で右側の第２パネル部分１１２と第２駆動部１３２とを組み合わせた第２表示装置１００Ｂは、右眼用の虚像を形成する部分であり、単独でも虚像表示装置として機能する。
【００２９】
〔Ｂ．表示装置の構造〕
図２（Ａ）等に示すように、第１表示装置１００Ａは、画像形成装置１０と、導光装置２０とを備える。ここで、画像形成装置１０は、図１における第１駆動部１３１に相当し、導光装置２０は、図１における第１パネル部分１１１に相当する。なお、図１に示す第２表示装置１００Ｂは、第１表示装置１００Ａと同様の構造を有し左右を反転させただけであるので、第２表示装置１００Ｂの詳細な説明は省略する。
【００３０】
画像形成装置１０は、画像表示装置１１と、投射光学系１２とを有する。このうち、画像表示装置１１は、２次元的な照明光ＳＬを射出する照明装置３１と、透過型の空間光変調装置である液晶表示デバイス３２と、照明装置３１及び液晶表示デバイス３２の動作を制御する駆動制御部３４とを有する。
【００３１】
照明装置３１は、赤、緑、青の３色を含む光を発生する光源３１ａと、光源３１ａからの光を拡散させて矩形断面の光束にするバックライト導光部３１ｂとを有する。液晶表示デバイス３２は、照明装置３１からの照明光ＳＬを空間的に変調して動画像等の表示対象となるべき画像光を形成する。駆動制御部３４は、光源駆動回路３４ａと、液晶駆動回路３４ｂとを備える。光源駆動回路３４ａは、照明装置３１の光源３１ａに電力を供給して安定した輝度の照明光ＳＬを射出させる。液晶駆動回路３４ｂは、液晶表示デバイス３２に対して画像信号又は駆動信号を出力することにより、透過率パターンとして動画や静止画の元になるカラーの画像光を形成する。なお、液晶駆動回路３４ｂに画像処理機能を持たせることができるが、外付けの制御回路に画像処理機能を持たせることもできる。投射光学系１２は、液晶表示デバイス３２上の各点から射出された画像光を平行状態の光束にするコリメートレンズである。
【００３２】
液晶表示デバイス３２において、第１方向Ｄ１は、投射光学系１２を通る第１光軸ＡＸ１と、後述する導光部材２１の第３反射面２１ｃに平行な特定線とを含む縦断面の延びる方向に対応し、第２方向Ｄ２は、上記第１光軸ＡＸ１と、上記第３反射面２１ｃの法線とを含む横断面の延びる方向に対応する。言い換えれば、第１方向Ｄ１は、後述する導光部材２１の第１反射面２１ａと第３反射面２１ｃとの交線ＣＬに平行な方向であり、第２方向Ｄ２は、上記第１反射面２１ａの平面と平行であり、上記第１反射面２１ａと第３反射面２１ｃとの交線ＣＬに垂直な方向となっている。つまり、液晶表示デバイス３２の位置において、第１方向Ｄ１は、縦のＹ方向に相当し、第２方向Ｄ２は、横のＸ方向に相当する。
なお、液晶表示デバイス３２の有効サイズは、第１方向Ｄ１よりも第２方向Ｄ２に長い横長となっている。一方、投射光学系１２の射出開口幅は、第２方向Ｄ２よりも第１方向Ｄ１に長い縦長となっている。
【００３３】
導光装置２０は、導光部材２１と光透過部材２３とを接合したものであり、全体としてＸＹ面に平行に延びる平板状の光学部材を構成している。
【００３４】
導光装置２０のうち、導光部材２１は、平面視において台形のプリズム状部材であり、側面として、第１反射面２１ａと、第２反射面２１ｂと、第３反射面２１ｃと、第４反射面２１ｄとを有する。また、導光部材２１は、第１、第２、第３、及び第４反射面２１ａ，２１ｂ，２１ｃ，２１ｄに隣接するとともに互いに対向する上面２１ｅと下面２１ｆとを有する。ここで、第１及び第２反射面２１ａ，２１ｂは、ＸＹ面に沿って延び、導光部材２１の厚みｔだけ離間する。また、第３反射面２１ｃは、ＸＹ面に対して４５°以下の鋭角αで傾斜しており、第４反射面２１ｄは、ＸＹ面に対して例えば４５°以下の鋭角βで傾斜している。第３反射面２１ｃを通る第１光軸ＡＸ１と第４反射面２１ｄを通る第２光軸ＡＸ２とは平行に配置され距離Ｄだけ離間している。なお、以下に詳述するが、第１反射面２１ａと第３反射面２１ｃとの間には、稜を除去するように端面２１ｈが設けられている。導光部材２１は、この端面２１ｈも含めると、７面の多面体状の外形を有するものとなっている。
【００３５】
導光部材２１は、第１及び第２反射面２１ａ，２１ｂによる全反射を利用して導光を行うものであり、導光に際して反射によって折り返される方向と、導光に際して反射によって折り返されない方向とがある。導光部材２１で導光される画像について考えた場合、導光に際して複数回の反射によって折り返される横方向すなわち閉じ込め方向は、第１及び第２反射面２１ａ，２１ｂに垂直（Ｚ軸に平行）で、後述するように光源側まで光路を展開した場合に、液晶表示デバイス３２の第２方向Ｄ２に相当するものとなり、導光に際して反射によって折り返されない縦方向すなわち自由伝搬方向は、第１及び第２反射面２１ａ，２１ｂ及び第３反射面２１ｃに平行（Ｙ軸に平行）で、後述するように光源側まで光路を展開した場合に、液晶表示デバイス３２の第１方向Ｄ１に相当する。
【００３６】
導光部材２１は、可視域で高い光透過性を示す樹脂材料で形成されている。導光部材２１は、射出成型によって一体的に成型されたブロック状部材であり、例えば熱重合型の樹脂材料を成型金型内に射出させ熱硬化させることで形成されている。このように導光部材２１は、一体形成品であるが、機能的に、光入射部Ｂ１と導光部Ｂ２と光射出部Ｂ３とに分けて考えることができる。
【００３７】
光入射部Ｂ１は、三角プリズム状の部分であり、第１反射面２１ａの一部である光入射面ＩＳと、光入射面ＩＳに対向する第３反射面２１ｃとを有する。光入射面ＩＳは、画像形成装置１０からの画像光ＧＬを取り込むための裏側又は観察者側の平面であり、投射光学系１２に対向してその第１光軸ＡＸ１に垂直に延びている。第３反射面２１ｃは、光入射面ＩＳを通過した画像光ＧＬを反射して導光部Ｂ２内に導くための矩形の全反射ミラーである。
【００３８】
図３（Ａ）は、第３反射面２１ｃを説明する図であり、光入射部Ｂ１における表面部分Ｐ１の部分拡大断面図である。第３反射面２１ｃは、ミラー層２５を有し保護層２６で被覆されている。このミラー層２５は、全反射のコーティングであり、導光部材２１の斜面ＲＳ上にアルミ等の蒸着によって成膜を施すことにより形成される。第３反射面２１ｃは、投射光学系１２の第１光軸ＡＸ１又はＸＹ面に対して例えば鋭角α＝２５°〜２７°で傾斜しており、光入射面ＩＳから入射し全体として＋Ｚ方向に向かう画像光ＧＬを、全体として−Ｚ方向寄りの−Ｘ方向に向かわせるように折り曲げることで、画像光ＧＬを導光部Ｂ２内に確実に結合させる。
【００３９】
図２（Ａ）等に戻って、導光部Ｂ２は、互いに対向しＸＹ面に平行に延びる２平面として、光入射部Ｂ１で折り曲げられた画像光をそれぞれ全反射させる第１反射面２１ａと第２反射面２１ｂとを有している。第１及び第２反射面２１ａ，２１ｂの間隔すなわち導光部材２１の厚みｔは、例えば９ｍｍ程度とされている。ここでは、第１反射面２１ａが画像形成装置１０に近い裏側又は観察者側にあるものとし、第２反射面２１ｂが画像形成装置１０から遠い表側又は外界側にあるものとする。この場合、第１反射面２１ａは、上記の光入射面ＩＳや後述する光射出面ＯＳと共通の面部分となっている。第１及び第２反射面２１ａ，２１ｂは、屈折率差を利用する全反射面であり、ミラー層等の反射コートが施されていない。
【００４０】
図３（Ｂ）は、第１反射面２１ａを説明する図であり、導光部材２１の導光部Ｂ２における表面部分Ｐ１の部分拡大断面図である。また、図３（Ｃ）は、第１反射面２１ａを説明する図であり、導光部材２１の導光部Ｂ２における表面部分Ｐ１の部分拡大断面図である。第１及び第２反射面２１ａ，２１ｂは、表面の損傷を防止し映像の解像度低下を防止するため、ハードコート層２７で被覆されている。このハードコート層２７は、導光部材２１の平坦面ＦＳ上にＵＶ硬化性樹脂や熱硬化性樹脂等をディップ処理やスプレーコート処理によって成膜することによって形成される。光入射部Ｂ１の第３反射面２１ｃで反射された画像光ＧＬは、まず、第１反射面２１ａに入射し、全反射される。次に、当該画像光ＧＬは、第２反射面２１ｂに入射し、全反射される。以下この動作が繰り返されることで、画像光は、導光装置２０の奥側即ち光射出部Ｂ３を設けた−Ｘ側に導かれる。なお、第１及び第２反射面２１ａ，２１ｂには反射コートが施されていないため、外界側から第２反射面２１ｂに入射する外界光又は外光は、高い透過率で導光部Ｂ２を通過する。つまり、導光部Ｂ２は、外界像の透視が可能なシースルータイプになっている。
【００４１】
以上の第１及び第２反射面２１ａ，２１ｂでの全反射は、ハードコート層２７の屈折率の設定によっており、ハードコート層２７の表面ＳＳの内側で生じさせることができるが、平坦面ＦＳの内側で生じさせることもできる。
【００４２】
図２（Ａ）等に戻って、光射出部Ｂ３は、三角プリズム状の部分であり、第１反射面２１ａの一部である光射出面ＯＳと、光射出面ＯＳに対向する第４反射面２１ｄとを有する。光射出面ＯＳは、画像光ＧＬを観察者の眼ＥＹに向けて射出するための裏側の平面であり、光入射面ＩＳと同様に第１反射面２１ａの一部となっており、第２光軸ＡＸ２に垂直に延びている。光射出部Ｂ３を通る第２光軸ＡＸ２と光入射部Ｂ１を通る第１光軸ＡＸ１との距離Ｄは、観察者の頭部の幅等を考慮して例えば５０ｍｍに設定されている。第４反射面２１ｄは、第１及び第２反射面２１ａ，２１ｂを経て入射してきた画像光ＧＬを反射して光射出部Ｂ３外に射出させるための矩形の平坦面である。第４反射面２１ｄに付随して、ハーフミラー層２８が設けられている。このハーフミラー層２８は、光透過性を有する反射膜（すなわち半透過反射膜）であり、その表面は半透過反射面となっている。ハーフミラー層（光透過性の反射膜又は半透過反射膜）２８は、導光部材２１の斜面ＲＳ上に金属反射膜や誘電体多層膜を成膜することにより形成される。ハーフミラー層２８の画像光ＧＬに対する反射率は、シースルーによる外界光ＧＬ'の観察を容易にする観点で、想定される画像光ＧＬの入射角範囲において１０％以上５０％以下とする。具体的な実施例のハーフミラー層２８の画像光ＧＬに対する反射率は、例えば２０％に設定され、画像光ＧＬに対する透過率は、例えば８０％に設定される。
【００４３】
図３（Ｄ）は、第４反射面２１ｄ及びその周辺の構造を説明する図であり、ハーフミラー層（光透過性の反射膜又は半透過反射膜）２８の断面の拡大図を付随させている。図からも明らかなように、ハーフミラー層（反射膜）２８は、偏光特性を有しない金属反射膜２８ａと、偏光特性を有する第１誘電体多層膜２８ｂと、偏光特性を有する第２誘電体多層膜２８ｃとを含む。ここで、金属反射膜２８ａは、第１誘電体多層膜２８ｂと第２誘電体多層膜２８ｃとの間に挟まれている。つまり、ハーフミラー層２８は、金属反射膜２８ａを中央に配置したサンドイッチ構造を有している。金属反射膜２８ａは、例えばＡｇ膜、Ａｌ膜等である。金属反射膜２８ａをＡｇ膜とした場合、吸収が少なくハーフミラー層２８による損失を抑え効率を高めることができる。また、Ａｇ膜は、膜厚の増減に対する透過率の感度がＡｌ膜等の場合に比較して低いので、ハーフミラー層２８の反射率や透過率の調整が容易である。下側の第１誘電体多層膜２８ｂや上側の第２誘電体多層膜２８ｃは、透明な誘電体層を数層以上積層したものである。つまり、両誘電体多層膜２８ｂ，２８ｃは、いずれも複数種類の屈折率材料を蒸着によって積層したものであり、干渉作用によって反射率や透過率に入射角度依存性をもたせている。これらの誘電体多層膜２８ｂ，２８ｃを構成する高屈折率材料としては、例えばＳｉＯ２、ＭｇＦ等の透光性の材料を挙げることができる。また、誘電体多層膜２８ｂ，２８ｃを構成する中屈折率材料としては、ＴｉＯ２、Ｔａ２Ｏ５，ＺｒＯ２等の透光性の材料を挙げることができる。誘電体多層膜２８ｂ，２８ｃを構成する低屈折率材料としてはＡｌ２Ｏ３等の透光性の材料を挙げることができる。
【００４４】
図４は、ハーフミラー層（反射膜）２８の反射率特性を説明するグラフである。ここで、横軸はハーフミラー層２８への光の入射角度を示し、縦軸は反射率を示している。図５は、ハーフミラー層２８に２５°及び７０°で入射する光束の反射率の波長依存性を説明するグラフである。ここで、横軸はハーフミラー層２８への入射光の波長を示し、縦軸は反射率を示している。図５において、入射角２５°の反射率は点線で示し、入射角７０°の反射率は実線で示している。
【００４５】
以上のグラフからも明らかなように、ハーフミラー層２８に４０°程度に設定された基準角度又は下限角度以下の入射角で入射する光は、２０％程度の反射率で反射され、ハーフミラー層２８に上記下限角度より大きな入射角で入射する光は、入射角の増加に伴って２０％から急激に増加する反射率で反射され５０°以上では略１００％の反射率でほとんど反射される。ここで、下限角度は、ハーフミラー層２８に入射する画像光ＧＬについて想定される入射角度範囲１０°〜４０°の上限に相当するものとなっており、画像光ＧＬ以外の入射角度の大きな光線、具体的にはゴースト光が眼ＥＹに入射することを防止している。かかるゴースト光の除去については、後に詳述するが、ハーフミラー層２８の裏面側からの入射角が一般に６０°以上となっている。
【００４６】
なお、ハーフミラー層２８に下限角度以下で入射する画像光ＧＬに対するハーフミラー層２８の反射率は、２０％に限らず、用途に応じて適宜変更できる。また、ハーフミラー層２８に下限角度以下で入射する画像光ＧＬに対するハーフミラー層２８の反射率は、角度や波長に対する依存性が少ないことが望ましいが、厳密に一様である必要はない。
【００４７】
図２（Ｂ）等に戻って、第４反射面２１ｄは、第１反射面２１ａに垂直な第２光軸ＡＸ２又はＸＹ面に対して例えば鋭角α＝２５°〜２７°で傾斜しており、上記ハーフミラー層２８により、導光部Ｂ２の第１及び第２反射面２１ａ，２１ｂを経て入射してきた画像光ＧＬを部分的に反射して全体として−Ｚ方向に向かわせるように折り曲げることで、光射出面ＯＳを通過させる。なお、第４反射面２１ｄを透過した画像光ＧＬは、光透過部材２３に入射し、映像の形成には利用されない。
【００４８】
光透過部材２３は、導光部材２１の本体と同一の屈折率を有し、第１面２３ａと、第２面２３ｂと、第３面２３ｃとを有する。第１及び第２面２３ａ，２３ｂは、ＸＹ面に沿って延びる。また、第３面２３ｃは、ＸＹ面に対して傾斜しており、導光部材２１の第４反射面２１ｄに対向して平行に配置されている。つまり、光透過部材２３は、第２面２３ｂと第３面２３ｃとに挟まれた楔状の部分を有する部材となっている。光透過部材２３は、導光部材２１と同様に、可視域で高い光透過性を示す樹脂材料で形成されている。光透過部材２３は、射出成型によって一体的に成型されたブロック状部材であり、例えば熱重合型の樹脂材料を成型金型内に射出させ熱硬化させることで形成されている。
【００４９】
光透過部材２３において、第１面２３ａは、導光部材２１に設けた第１反射面２１ａの延長平面上に配置され、観察者の眼ＥＹに近い裏側にあり、第２面２３ｂは、導光部材２１に設けた第２反射面２１ｂの延長平面上に配置され、観察者の眼ＥＹから遠い表側にある。第３面２３ｃは、接着剤によって導光部材２１の第４反射面２１ｄに接合される矩形の透過面である。以上の第１面２３ａと第３面２３ｃとなす角度は、導光部材２１の第２反射面２１ｂと第４反射面２１ｄとのなす角度εと等しくなっており、第２面２３ｂと第３面２３ｃとなす角度は、導光部材２１の第１反射面２１ａと第３反射面２１ｃとのなす角度βと等しくなっている。
【００５０】
光透過部材２３と導光部材２１とは、両者の接合部分及びその近傍において、観察者の眼前に対向する部位に相当するものとして、透視部Ｂ４を構成している。光透過部材２３のうち、互いに鋭角を成す第２面２３ｂと第３面２３ｃとに挟まれて−Ｘ方向に広がる楔状の部材２３ｍは、同様に楔状の光射出部Ｂ３と接合されることにより、全体として平板状の透視部Ｂ４におけるＸ方向に関する中央部分を構成する。第１及び第２面２３ａ，２３ｂには、ミラー層等の反射コートが施されていないため、導光部材２１の導光部Ｂ２と同様に外界光ＧＬ'を高い透過率で透過させる。第３面２３ｃも、外界光ＧＬ'を高い透過率で透過可能であるが、導光部材２１の第４反射面２１ｄがハーフミラー層２８を有していることから、第３面２３ｃを通過する外界光ＧＬ'は、例えば２０％減光される。つまり、観察者は、２０％に減光された画像光ＧＬと８０％に減光された外界光ＧＬ'とを重畳させたものを観察することになる。
【００５１】
〔Ｃ．画像光の光路の概要〕
図６（Ａ）は、液晶表示デバイス３２の縦断面ＣＳ１に対応する第１方向Ｄ１の光路を説明する図である。第１方向Ｄ１に沿った縦断面すなわちＹＺ面（展開後のＹ'Ｚ'面）において、液晶表示デバイス３２から射出された画像光のうち、図中一点鎖線で示す表示領域３２ｂの上端側（＋Ｙ側）から射出される成分を画像光ＧＬａとし、図中二点差線で示す表示領域３２ｂの下端側（−Ｙ側）から射出される成分を画像光ＧＬｂとする。
【００５２】
上側の画像光ＧＬａは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度φ１の上方向から傾いて入射する。一方、下側の画像光ＧＬｂは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度φ２（｜φ２｜＝｜φ１｜）の下方向から傾いて入射する。以上の角度φ１，φ２は、上下の半画角に相当し、例えば６．５°に設定される。
【００５３】
図６（Ｂ）は、液晶表示デバイス３２の横断面ＣＳ２に対応する第２方向（閉じ込め方向又は合成方向）Ｄ２の光路を説明する図である。第２方向（閉じ込め方向又は合成方向）Ｄ２に沿った横断面すなわちＸＺ面（展開後のＸ'Ｚ'面）において、液晶表示デバイス３２から射出された画像光のうち、図中一点鎖線で示す表示領域３２ｂに向かって右端側（＋Ｘ側）の第１表示点Ｐ１から射出される成分を画像光ＧＬｃとし、図中二点差線で示す表示領域３２ｂに向かって左端側（−Ｘ側）の第２表示点Ｐ２から射出される成分を画像光ＧＬｄとする。図６（Ｂ）中には、参考のため、右寄り内側のから射出される画像光ＧＬｅと、左寄り内側のから射出される画像光ＧＬｆとを追加している。
【００５４】
右側の第１表示点Ｐ１からの画像光ＧＬｃは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度θ１の右方向から傾いて入射する。一方、左側の第２表示点Ｐ２からの画像光ＧＬｄは、投射光学系１２によって平行光束化され、展開された光軸ＡＸ'に沿って、導光部材２１の光入射部Ｂ１、導光部Ｂ２、及び光射出部Ｂ３を通り、観察者の眼ＥＹに対して平行光束状態で、角度θ２（｜θ２｜＝｜θ１｜）の左方向から傾いて入射する。以上の角度θ１，θ２は、左右の半画角に相当し、例えば１０°に設定される。
【００５５】
なお、第２方向Ｄ２の横方向に関しては、導光部材２１中で画像光ＧＬｃ，ＧＬｄが反射によって折り返され、反射の回数も異なることから、各画像光ＧＬｃ，ＧＬｄが導光部材２１中で不連続に表現されている。また、観察者の眼ＥＹについては、図２（Ａ）の場合と比較して見ている方向が上下反対となっている。結果的に、横方向に関しては、全体として画面が左右反転するが、後に詳述するように導光部材２１を高精度に加工することで、液晶表示デバイス３２の右半分の画像と液晶表示デバイス３２の左半分の画像とが切れ目なく連続してズレなくつなぎ合わされたものとなる。なお、両画像光ＧＬｃ，ＧＬｄの導光部材２１内での反射回数が互いに異なることを考慮して、右側の画像光ＧＬｃの射出角度θ１'と左側の画像光ＧＬｄの射出角度θ２'とは異なるものに設定されている。
【００５６】
以上により、観察者の眼ＥＹに入射する画像光ＧＬａ，ＧＬｂ，ＧＬｃ，ＧＬｄは、無限遠からの虚像となっており、縦の第１方向Ｄ１に関しては液晶表示デバイス３２に形成された映像が正立し、横の第２方向Ｄ２に関しては液晶表示デバイス３２に形成された映像が反転する。
【００５７】
〔Ｄ．横方向に関する画像光の光路〕
図７は、第１表示装置１００Ａにおける具体的な光路を説明する断面図である。投射光学系１２は、３つのレンズＬ１，Ｌ２，Ｌ３を有している。
【００５８】
液晶表示デバイス３２の右側の第１表示点Ｐ１からの画像光ＧＬ１１，ＧＬ１２は、投射光学系１２のレンズＬ１，Ｌ２，Ｌ３を通過することで平行光束化され、導光部材２１の光入射面ＩＳに入射する。導光部材２１内に導かれた画像光ＧＬ１１，ＧＬ１２は、第１及び第２反射面２１ａ，２１ｂにおいて等しい角度で全反射を繰り返して、最終的に光射出面ＯＳから平行光束として射出される。具体的には、画像光ＧＬ１１，ＧＬ１２は、平行光束として導光部材２１の第３反射面２１ｃで反射された後、第１反射角γ１で導光部材２１の第１反射面２１ａに入射し、全反射される（第１回目の全反射）。その後、画像光ＧＬ１１，ＧＬ１２は、第１反射角γ１を保った状態で、第２反射面２１ｂに入射して全反射され（第２回目の全反射）、次いで再度第１反射面２１ａに入射して全反射される（第３回目の全反射）。結果的に、画像光ＧＬ１１，ＧＬ１２は、第１反射角γ１を保った状態で、第１及び第２反射面２１ａ，２１ｂで全反射を繰り返す。画像光ＧＬ１１，ＧＬ１２は、第１及び第２反射面２１ａ，２１ｂにおいて計３回全反射され、第４反射面２１ｄに入射する。画像光ＧＬ１１，ＧＬ１２は、この第４反射面２１ｄで第３反射面２１ｃと同一の角度で反射され、光射出面ＯＳからこの光射出面ＯＳに垂直な第２光軸ＡＸ２方向に対して角度θ１の傾きで平行光束として射出される。
【００５９】
液晶表示デバイス３２の左側の第２表示点Ｐ２からの画像光ＧＬ２１，ＧＬ２２は、投射光学系１２のレンズＬ１，Ｌ２，Ｌ３を通過することで平行光束化され、導光部材２１の光入射面ＩＳに入射する。導光部材２１内に導かれた画像光ＧＬ２１，ＧＬ２２は、第１及び第２反射面２１ａ，２１ｂにおいて等しい角度で全反射を繰り返して、最終的に光射出面ＯＳから平行光束として射出される。具体的には、画像光ＧＬ２１，ＧＬ２２は、平行光束として導光部材２１の第３反射面２１ｃで反射された後、第２反射角γ２（γ２＜γ１）で導光部材２１の第１反射面２１ａに入射し、全反射される（第１回目の全反射）。その後、画像光ＧＬ２１，ＧＬ２２は、第２反射角γ２を保った状態で、第２反射面２１ｂに入射して全反射され（第２回目の全反射）、再度第１反射面２１ａに入射して全反射され（第３回目の全反射）、再度第２反射面２１ｂに入射して全反射され（第４回目の全反射）、再々度第１反射面２１ａに入射して全反射される（第５回目の全反射）。結果的に、画像光ＧＬ２１，ＧＬ２２は、第１及び第２反射面２１ａ，２１ｂにおいて計５回全反射され、第４反射面２１ｄに入射する。画像光ＧＬ２１，ＧＬ２２は、この第４反射面２１ｄで第３反射面２１ｃと同一の角度で反射され、光射出面ＯＳからこの光射出面ＯＳに垂直な第２光軸ＡＸ２方向に対して角度θ２の傾きで平行光束として射出される。
【００６０】
図７において、導光部材２１を展開した場合に第１反射面２１ａに対応する仮想的な第１面１２１ａと、導光部材２１を展開した場合に第２反射面２１ｂに対応する仮想的な第２面１２１ｂとを描いている。このように展開することにより、第１表示点Ｐ１からの画像光ＧＬ１１，ＧＬ１２は、光入射面ＩＳに対応する入射等価面ＩＳ'を通過した後、第１面１２１ａを２回通過し第２面１２１ｂを１回通過して光射出面ＯＳから射出されて観察者の眼ＥＹに入射することが分かり、第２表示点Ｐ２からの画像光ＧＬ２１，ＧＬ２２は、光入射面ＩＳに対応する入射等価面ＩＳ"を通過した後、第１面１２１ａを３回通過し第２面１２１ｂを２回通過して光射出面ＯＳから射出されて観察者の眼ＥＹに入射することが分かる。見方を変えると、観察者は、２つの位置の異なる入射等価面ＩＳ'，ＩＳ"の近傍に存在する投射光学系１２のレンズＬ３を重ねて観察していることになる。
【００６１】
図８（Ａ）は、液晶表示デバイス３２の表示面を概念的に説明する図であり、図８（Ｂ）は、観察者に見える液晶表示デバイス３２の虚像を概念的に説明する図であり、図８（Ｃ）及び８（Ｄ）は、虚像を構成する部分画像を説明する図である。図８（Ａ）に示す液晶表示デバイス３２に設けた矩形の画像形成領域ＡＤは、図８（Ｂ）に示す虚像表示領域ＡＩとして観察される。虚像表示領域ＡＩの左側には、液晶表示デバイス３２の画像形成領域ＡＤのうち中央から右側にかけての部分に相当する第１投射像ＩＭ１が形成され、この第１投射像ＩＭ１は、図８（Ｃ）に示すように右側が欠けた部分画像となっている。また、虚像表示領域ＡＩの右側には、液晶表示デバイス３２の画像形成領域ＡＤのうち中央から左側にかけての部分に相当する投射像ＩＭ２が虚像として形成され、この第２投射像ＩＭ２は、図８（Ｄ）に示すように左半分が欠けた部分画像となっている。
【００６２】
図８（Ａ）に示す液晶表示デバイス３２のうち第１投射像（虚像）ＩＭ１のみを形成する第１部分領域Ａ１０は、例えば液晶表示デバイス３２の右端の第１表示点Ｐ１を含んでおり、導光部材２１の導光部Ｂ２において合計３回全反射される画像光ＧＬ１１，ＧＬ１２を射出する。液晶表示デバイス３２のうち第２投射像（虚像）ＩＭ２のみを形成する第２部分領域Ａ２０は、例えば液晶表示デバイス３２の左端の第２表示点Ｐ２を含んでおり、導光部材２１の導光部Ｂ２において合計５回全反射される画像光ＧＬ２１，ＧＬ２２を射出する。液晶表示デバイス３２の画像形成領域ＡＤの中央寄りにおいて第１及び第２部分領域Ａ１０，Ａ２０に挟まれて縦長に延びる帯域ＳＡからの画像光は、図８（Ｂ）に示す重複画像ＩＳを形成している。つまり、液晶表示デバイス３２の帯域ＳＡからの画像光は、導光部Ｂ２において計３回全反射される画像光ＧＬ１１，ＧＬ１２によって形成される第１投射像ＩＭ１と、導光部Ｂ２において計５回全反射される画像光ＧＬ１１，ＧＬ１２によって形成される第２投射像ＩＭ２となって、虚像表示領域ＡＩ上で重畳していることになる。導光部材２１の加工が精密で、投射光学系１２によって正確にコリメートされた光束が形成されているならば、重複画像ＩＳについて、２つの投射像ＩＭ１，ＩＭ２の重畳によるズレや滲みを防止することができる。なお、重畳の生じている帯域ＳＡの横幅又は重畳幅は、液晶表示デバイス３２を照明する照明光ＳＬの角度範囲を制御することで調整可能である。本実施形態では、照明光ＳＬの角度範囲を特に調節していないので、バックライト導光部３１ｂ等の発散特性に応じた横幅又は重畳幅の帯域ＳＡが存在することになる。
【００６３】
以上では、液晶表示デバイス３２の右側の第１表示点Ｐ１を含む第１部分領域Ａ１０から射出された画像光ＧＬ１１，ＧＬ１２の第１及び第２反射面２１ａ，２１ｂによる全反射回数が計３回で、液晶表示デバイス３２の左側の第２表示点Ｐ２を含む第１部分領域Ａ１０から射出された画像光ＧＬ２１，ＧＬ２２の第１及び第２反射面２１ａ，２１ｂによる全反射回数が計５回であるとしたが、全反射回数については適宜変更することができる。つまり、導光部材２１の外形（すなわち厚みｔ、距離Ｄ、鋭角α，β）の調整によって、画像光ＧＬ１１，ＧＬ１２の全反射回数を計５回とし、画像光ＧＬ２１，ＧＬ２２の全反射回数を計７回とすることもできる。また、以上では、画像光ＧＬ１１，ＧＬ１２，ＧＬ２１，ＧＬ２２の全反射回数が奇数となっているが、光入射面ＩＳと光射出面ＯＳとを反対側に配置するならば、すなわち導光部材２１を平面視で平行四辺形型にすれば、画像光ＧＬ１１，ＧＬ１２，ＧＬ２１，ＧＬ２２の全反射回数が偶数となる。
【００６４】
〔Ｅ．ゴースト光の処理〕
図９は、導光装置２０におけるゴースト光の処理を説明する拡大図である。導光部材２１の光射出部Ｂ３において、第１及び第２反射面２１ａ，２１ｂを経て入射してきた画像光ＧＬは、第４反射面２１ｄで反射されて光射出面ＯＳを通過する。この際、第４反射面２１ｄがハーフミラーとなっていることから、画像光ＧＬは、第４反射面２１ｄを例えば８０％程度の強度で通過してゴースト光ＧＧとなる可能性がある。すなわち、第４反射面２１ｄを通過した画像光ＧＬは、第２面２３ｂで反射されるが、この画像光ＧＬは、第４反射面２１ｄを通過した場合、第１反射面２１ａや第４反射面２１ｄを経て比較的目立つゴースト光ＧＧとなる可能性がある。本実施形態では、このようなゴースト光ＧＧを、角度特性を有するハーフミラー層（光透過性の反射膜又は半透過反射膜）２８によって遮断している。
【００６５】
なお、第４反射面２１ｄを通過する画像光ＧＬに由来するゴースト光ＧＧは、接着精度等に由来して第２面２３ｂを第２反射面２１ｂに対して厳密に平行に形成することが容易でないこと等が原因となって発生する。より詳しく説明すると、導光部材２１の第２反射面２１ａと、光透過部材２３の第２面２３ｂとは、実質的に同一平面上に配置されているが、厳密には同一平面上に配置されていない。つまり、第２反射面２１ａと第２面２３ｂとを厳密に同一平面上に配置しようとした場合、極めてコストを増加させることになってしまう。一方、第２反射面２１ａと第２面２３ｂとが実質的に同一平面上に配置されていれば、透視部Ｂ４を介しての外界観察に支障が生じない。このため、導光部材２１の第２反射面２１ａと光透過部材２３の第２面２３ｂとの平行度については厳密性を緩和して、製造の容易性やコスト低減を図ることが望ましい。しかしながら、本願発明者の検討によれば、光透過部材２３の第２面２３ｂが導光部材２１の第２反射面２１ａに対して微小角（例えば数分程度）傾いただけでも、眼ＥＹにはゴースト光ＧＧとして観察される可能性があることが分かった。つまり、第２反射面２１ａと第２面２３ｂとが厳密に平行であれば問題ないが、第２反射面２１ａと第２面２３ｂとが微小角を成していると、第４反射面２１ｄを通過して第２面２３ｂで反射され、第４反射面２１ｄを再度通過した不要光ＨＬは、画像光ＧＬと同様の角度条件で光射出部Ｂ３を通過して眼ＥＹに入射するおそれがある。この不要光ＨＬは、第２反射面２１ａと第２面２３ｂとが成す微小角に起因して画像光ＧＬに対して厳密に平行ではなく、画像光ＧＬに対して僅かな角度ズレを有するものとなっている。このため、不要光ＨＬは、ゴースト光ＧＧすなわち画像光ＧＬに対する滲みや２重像として観察される可能性がある。以上では、第２面２３ｂが第２反射面２１ａに対して微小角を成す場合について説明したが、光透過部材２３自体の加工精度も同様に影響する。すなわち、光透過部材２３は、透視を良好するものであればよく、本来は導光部材２１ほどに加工精度が要求されない。しかしながら、第２面２３ｂの平坦度が低いと、上記と同様の理由で、平坦度の低い第２面２３ｂで反射され第４反射面２１ｄを再度通過した不要光ＨＬがゴースト光ＧＧして観察されるおそれがある。
【００６６】
このようなゴースト光ＧＧを遮断するためには、ゴースト光ＧＧの第４反射面２１ｄでの透過率を低下させればよい。ここで、画像光ＧＬの第４反射面２１ｄへの入射角ζは、上記のように導光部材２１の外形の設計条件によって入射角度範囲１０°〜４０°とすることができ、入射角ζの上限をハーフミラー層２８の反射の下限角度以上である４０°程度に設定することができる。一方、ゴースト光ＧＧの第４反射面２１ｄへの入射角ηは、上記のような導光部材２１の外形の設計条件で６０°以上となる。よって、第４反射面２１ｄの反射率の角度依存性を図４に示したようなものに調整することにより、ゴースト光ＧＧの第４反射面２１ｄでの透過率を大幅に低減して眼ＥＹへの入射を阻止することができるとともに、画像光ＧＬが光射出面ＯＳ側に適切に反射されて虚像の観察が妨げられることを防止できる。
【００６７】
なお、外界光については、ゴースト光ＧＧと同様の角度条件となる場合、第４反射面２１ｄによって完全に反射されて眼ＥＹに入射しなくなる可能性があるが、このように遮断される外界光は、かなり斜めの方向からのものであり、実用上は問題ならないと考えられる。
【００６８】
〔Ｆ．その他〕
図１０（Ａ）は、図２（Ａ）等に示す導光部材２１の変形例を説明する図である。以上の説明では、導光部材２１を伝播する画像光が第１及び第２反射面２１ａ，２１ｂに対して２つの反射角γ１，γ２のみで全反射されるとしたが、図１０（Ａ）に示す変形例の導光部材２１のように、３つの成分の画像光ＧＬ３１，ＧＬ３２，ＧＬ３３が反射角γ１，γ２，γ３（γ１＞γ２＞γ３）でそれぞれ全反射されることを許容することもできる。この場合、液晶表示デバイス３２から射出される画像光ＧＬは、３つのモードで伝搬され、観察者の眼ＥＹの位置において合成されて虚像となる。この場合、図１０（Ｂ）に示すように、有効表示領域Ａ０の左側に例えば計３回全反射の投射像ＩＭ２１が形成され、有効表示領域Ａ０の中央寄りに例えば計５回全反射の投射像ＩＭ２２が形成され、有効表示領域Ａ０の右側に例えば計７回全反射の投射像ＩＭ２３が形成される。
【００６９】
図１１は、図２（Ａ）等に示す導光部材２１に稜を除去するような端面２１ｈを設けている理由を説明する拡大図である。導光部材２１の稜１２１ｈに近い位置に入射した画像光ＧＬは、第３反射面２１ｃで反射された後に第１反射面２１ａで反射されるが、第１反射面２１ａでの反射後に第３反射面２１ｃで再度反射されてしまう。このような再反射光としての不要光ＨＬは、第３反射面２１ｃでの反射によって元の画像光ＧＬと平行でなくなってしまい想定外の光路に導かれるが、その一部が光射出部Ｂ３に導かれて光射出面ＯＳから射出される可能性がある。つまり、稜１２１ｈで発生する不要光ＨＬは、図９の場合と同様に望まれないゴースト光ＧＧとなるので、予め除去することが望ましい。このため、稜１２１ｈを除去して迷光阻止用の端面２１ｈを設け、不要光ＨＬの光路に制限を設けている。
【００７０】
図１２は、図２（Ａ）等に示す導光部材２１の変形例を説明する拡大図である。この場合、導光部材２１の第４反射面２１ｄ側に稜１２１ｉを除去するような端面２１ｉを設けている。つまり、導光部材２１は、８面の多面体状の外形を有するものとなっている。端面２１ｉには、例えば比較的高い反射率のコート又は粗面が施され、光透過部材２３にも端面２１ｉにフィットする段差を設けている。このような端面２１ｉを設けることで、導光部材２１を伝播する正規の画像光ＧＬが第４反射面２１ｄで２度以上反射される不要光ＨＬや、３回未満の反射で導光部Ｂ２を通過して第４反射面２１ｄで反射される不要光ＨＬが光射出面ＯＳを介して外部に射出されることを防止できる。つまり、端面２１ｉは、想定外の経路を経ることで元の画像光ＧＬに対して傾いた不要光ＨＬが図９の場合と同様に望まれないゴースト光ＧＧとなるのを防止している。
【００７１】
以上説明した実施形態の虚像表示装置１００では、光入射部Ｂ１の第３反射面２１ｃで反射された画像光ＧＬが導光部の第１及び第２反射面２１ａ，２１ｂで全反射されつつ伝搬され、光射出部Ｂ３の第４反射面２１ｄで反射されて虚像として観察者の眼ＥＹに入射する。この際、画像表示装置１１の第１表示点Ｐ１を含む第１部分領域Ａ１０から射出される第１画像光ＧＬ１１，ＧＬ１２の導光部における反射回数と、画像表示装置１１の第２表示点Ｐ２を含む第２部分領域Ａ２０から射出される第２画像光ＧＬ２１，ＧＬ２２の導光部Ｂ２における反射回数とが異なるので、光射出部Ｂ３から射出される画像光ＧＬの射出角度の角度幅を広くとることができる。つまり、画像表示装置１１における異なる部分領域Ａ１０，Ａ２０からの画像光ＧＬを比較的広い視野角で取り込むことができるようになり、光射出部Ｂ３越しに観察される虚像の表示サイズを大きく確保することができる。このように、反射回数が異なる画像光ＧＬを取り出す構造とすることにより、導光部Ｂ２をあまり厚くすることなく瞳を覆うように光射出部Ｂ３を大きくすることができるので、光射出部Ｂ３を瞳に近づけて瞳分割を行う必要がなくなり、アイリング径を大きく確保することができ、良好なシースルー観察も可能になる。
【００７２】
また、上記実施形態の虚像表示装置１００では、光射出部Ｂ３と光透過部材２３との間に設けた反射膜としてのハーフミラー層２８が画像光ＧＬの入射角範囲よりも入射角が大きくなると反射率が増加する角度依存性を有するので、導光部材２１から光透過部材２３に射出され光透過部材２３内で反射される意図しない光が比較的大きな入射角度で反射膜としてのハーフミラー層２８を通過して導光部材２１の光射出部Ｂ３に戻されることを防止できる。これにより、光透過部材２３の加工精度や、導光部材２１と光透過部材２３との接着精度を高める要求を緩和しつつ、光透過部材２３を経た画像光ＧＬがゴースト光ＧＧになることを防止でき、虚像表示装置１００によって表示される虚像を高品位のものとすることができる。
【００７３】
以上実施形態に即して本発明を説明したが、本発明は、上記の実施形態に限られるものではなく、その要旨を逸脱しない範囲において種々の態様において実施することが可能であり、例えば次のような変形も可能である。
【００７４】
上記実施形態では、導光部材２１の第４反射面２１ｄに設けたハーフミラー層２８の反射率を２０％としてシースルーを優先しているが、ハーフミラー層２８の反射率を５０％以上として画像光を優先することもできる。なお、ハーフミラー層２８は、第４反射面２１ｄの全面に形成されなくてもよく、一部の必要領域にのみ形成されるものとできる。また、ハーフミラー層２８は、光透過部材２３の第３面２３ｃ上に形成することもできる。
【００７５】
光透過部材２３の形状は、導光部材２１を横すなわちＸ方向に延長するものに限らず、導光部材２１を上下から挟むように拡張した部分を含むものとできる。
【００７６】
上記実施形態では、照明装置３１からの照明光ＳＬに特に指向性を持たせていないが、照明光ＳＬに液晶表示デバイス３２の位置に応じた指向性を持たせることができる。これにより、液晶表示デバイス３２を効率的に照明することができ、画像光ＧＬの位置による輝度ムラを低減できる。
【００７７】
上記実施形態では、液晶表示デバイス３２の表示輝度を特に調整していないが、図８（Ｂ）に示すような投射像ＩＭ１，ＩＭ２の範囲や重複に応じて表示輝度の調整を行うことができる。
【００７８】
上記実施形態では、画像表示装置１１として、透過型の液晶表示デバイス３２等を用いているが、画像表示装置１１としては、透過型の液晶表示デバイス３２に限らず種々のものを利用可能である。例えば、反射型の液晶表示デバイスを用いた構成も可能であり、液晶表示デバイス３２に代えてデジタル・マイクロミラー・デバイス等を用いることもできる。また、画像表示装置１１として、ＬＥＤアレイやＯＬＥＤ（有機ＥＬ）などに代表される自発光型素子を用いることもできる。
【００７９】
上記実施形態の虚像表示装置１００では、右眼及び左眼の双方に対応して、一組ずつ画像形成装置１０及び導光装置２０設ける構成としているが、右眼又は左眼のいずれか一方に対してのみ画像形成装置１０と導光装置２０とを設け画像を片眼視する構成にしてもよい。
【００８０】
上記実施形態では、光入射面ＩＳを通る第１光軸ＡＸ１と光入射面ＩＳを通る第２光軸ＡＸ２とが平行であるとしたが、これらの光軸ＡＸ１，ＡＸ２を非平行とすることもできる。
【００８１】
上記の説明では、虚像表示装置１００がヘッドマウントディスプレイであるとして具体的な説明を行ったが、虚像表示装置１００は、ヘッドアップディスプレイに改変することもできる。
【００８２】
上記の説明では、第１及び第２反射面２１ａ，２１ｂにおいて、表面上にミラーやハーフミラー等を施すことなく空気との界面により画像光を全反射させて導くものとしているが、本願発明における全反射については、第１及び第２反射面２１ａ，２１ｂ上の全体又は一部にミラーコートや、ハーフミラー膜が形成されてなされる反射も含むものとする。例えば、画像光の入射角度が全反射条件を満たした上で、第１及び第２反射面２１ａ，２１ｂの全体又は一部にミラーコート等が施され、実質的に全ての画像光を反射する場合も含まれる。また、十分な明るさの画像光を得られるのであれば、多少透過性のあるミラーによって第１及び第２反射面２１ａ，２１ｂの全体又は一部がコートされていてもよい。
【００８３】
上記の説明では、導光部材２１が眼ＥＹの並ぶ横方向に延びているが、導光部材２１は、縦方向に延びるものとできる。この場合、光学パネル１１０は、直列的ではなく並列的に平行配置されることになる。
【符号の説明】
【００８４】
１０…画像形成装置、  １１…画像表示装置、  １２…投射光学系、  ２０…導光装置、  ２１…導光部材、  ２１ａ，２１ｂ，２１ｃ，２１ｄ…第１〜第４反射面、  ２１ｅ…上面、  ２１ｆ…下面、  ２１ｈ，２１ｉ…端面、  ２３…光透過部材、  ２３ａ，２３ｂ，２３ｃ…面、  ２５…ミラー層、  ２７…ハードコート層、  ２８…ハーフミラー層（反射膜）、  ３１…照明装置、  ３２…液晶表示デバイス、  ３２ｂ…表示領域、  ３４…駆動制御部、  １００…虚像表示装置、  １００Ａ，１００Ｂ…表示装置、  １１０…光学パネル、  １２１…フレーム、  １３１，１３２…駆動部、  Ａ１０…第１部分領域、  Ａ２０…第２部分領域、  ＡＸ１…第１光軸、  ＡＸ２…第２光軸、  Ｂ１…光入射部、  Ｂ２…導光部、  Ｂ３…光射出部、  Ｂ４…透視部、  ＥＹ…眼、  ＦＳ…平坦面、  ＧＬ…画像光、  ＧＬ'…外界光、  ＧＬ１１，ＧＬ１２，ＧＬ２１，ＧＬ２２…画像光、  ＩＭ１，ＩＭ２…投射像、  ＩＳ…光入射面、  Ｌ１，Ｌ２，Ｌ３…レンズ、  ＯＳ…光射出面、  Ｐ１…表示点、  Ｐ２…表示点、ＳＬ…照明光
【図１】
0005633406.tif 000002
【図２】
0005633406.tif 000003
【図３】
0005633406.tif 000004
【図４】
0005633406.tif 000005
【図５】
0005633406.tif 000006
【図６】
0005633406.tif 000007
【図７】
0005633406.tif 000008
【図８】
0005633406.tif 000009
【図９】
0005633406.tif 000010
【図１０】
0005633406.tif 000011
【図１１】
0005633406.tif 000012
【図１２】
0005633406.tif 000013